(57)【要約】【課題】薬剤を温湯で崩壊・懸濁させて患者に投与する簡易懸濁法に適した薬剤容器を提供する。【解決手段】上端と下端とが開口し、上端の開口２ａは薬剤を挿通自在な径を有する筒状体２と、筒状体２の上端に着脱自在に設けられ、注出口３２を有するキャップ３と、筒状体２の下端部を液密に閉塞し、且つ筒状体２の内周面を摺動自在な閉塞部材４と、閉塞部材４の下端から下方に向かって延設された棒状体５とを備え、筒状体２の周壁面には、下方から上方に向かって０から所定容量までの目盛２１が付されている。【選択図】図１
2008206531.tif 000002
【特許請求の範囲】
【請求項１】
薬剤を温湯で崩壊・懸濁させて患者に投与する簡易懸濁法に用いられる薬剤容器であって、
上端と下端とが開口し、上端の開口は前記薬剤を挿通自在な径を有する筒状体と、
該筒状体の上端に着脱自在に設けられ、注出口を有するキャップと、
該筒状体の下端部を液密に閉塞し、且つ該筒状体の内周面を摺動自在な閉塞部材と、
該閉塞部材の下端から下方に向かって延設された棒状体とを備え、
前記筒状体の周壁面には、下方から上方に向かって０から所定容量までの目盛が付されていることを特徴とする容器。
【請求項２】
前記閉塞部材の下端に前記棒状体が着脱自在に連結され、
前記筒状体の下端には径方向外方に張り出す張出部が形成され、
前記閉塞部材から前記棒状体を取り外した状態で、前記張出部により前記筒状体が起立可能であることを特徴とする請求項１記載の容器。
【発明の詳細な説明】
【技術分野】
【０００１】
本発明は、錠剤やカプセル等の薬剤を飲み込むことができない患者の為に、薬剤を温湯で崩壊・懸濁させて患者に投与する簡易懸濁法に用いられる容器に関する。
【背景技術】
【０００２】
従来、錠剤やカプセル等の薬剤を飲み込むことができない患者に対して、薬剤を粉砕して水に攪拌し、患者に投与する方法（粉砕法）が知られている。しかしながら、この粉砕法においては、薬剤を粉砕するのに手間がかかり、又、粉砕に伴い薬剤の有効成分を欠損させる虞がある等、様々な問題点があった。
【０００３】
そこで、最近では、薬剤を粉砕せずにそのまま５５℃〜６０℃の温湯に入れて崩壊・懸濁させて患者に投与する方法（簡易懸濁法）が多くの病院で採用されつつある（例えば、非特許文献１参照）。この簡易懸濁法によれば、薬剤を粉砕する手間が省けると共に、粉砕に伴う薬剤の有効成分の欠損を防止することができ、又、医療従事者が粉砕時に粉末を吸引することを防止することができる等の多くのメリットがある。
【０００４】
従来の簡易懸濁法には、水剤瓶やコップ等に薬剤を入れて懸濁させる方法と、注射器内に薬剤を入れて懸濁させる方法との２つの方法がある。
【０００５】
水剤瓶等で懸濁させる方法では、まず、水剤瓶やコップ等に薬剤を入れて２０ｍｌの温湯を注いで１０分間放置し崩壊・懸濁させる。そして、注射器により水剤瓶等から懸濁液を吸引し、注射器を経腸栄養ライン等に接続して患者に投与する。
【０００６】
しかしながら、この方法では、水剤瓶等の内面に懸濁液が付着して残ってしまい懸濁液を全て注射器で吸引することができず、患者に適切な量の薬剤を投与できない虞がある。
【０００７】
一方、注射器で懸濁させる方法では、まず、注射器の押子を外して、注射筒内に薬剤を入れる。そして、押子を注射筒内に挿入し、注射器の先端から２０ｍｌの温湯を吸引して崩壊・懸濁させ、患者に投与する。
【０００８】
しかしながら、この方法では、注射器の押子は一般的に簡単に外れない様に構成されているため、注射筒内に薬剤を入れる作業が煩雑であるという問題がある。又、注射器で２０ｍｌの温湯を吸引する際には、注射器内に薬剤が入っているため押子を注射筒の先端まで押し進めることができず、押子を注射筒の外周面先端側に付された目盛「０」の位置にあわせることができない。このため、注射器で吸引する温湯を正確に計量することが困難であるという問題がある。
【０００９】
このように、簡易懸濁法は粉砕法と比較して多くのメリットを有するものの、未だに克服すべき問題点が多く残されており、利用するに際し注意が必要であった。
【非特許文献１】森川  秋月、外１３名、“経管栄養管理ガイドライン”、［online］、１０頁、［ＩＶ．経管栄養における薬剤投与］、旭川赤十字病院  胃管留置・経管栄養管理マニュアル作成小委員会、［平成１９年２月１３日検索］、インターネット＜URL  ：http://city.hokkai.or.jp/~makky97/risk/tubefeedinggaidline.pdf＞
【発明の開示】
【発明が解決しようとする課題】
【００１０】
本発明は、以上の点に鑑みてなされたものであり、簡易懸濁法に適した薬剤容器を提供することを目的とする。
【課題を解決するための手段】
【００１１】
上記目的を達成するため、本発明は、薬剤を温湯で崩壊・懸濁させて患者に投与する簡易懸濁法に用いられる薬剤容器であって、上端と下端とが開口し、上端の開口は前記薬剤を挿通自在な径を有する筒状体と、該筒状体の上端に着脱自在に設けられ、注出口を有するキャップと、該筒状体の下端部を液密に閉塞し、且つ該筒状体の内周面を摺動自在な閉塞部材と、該閉塞部材の下端から下方に向かって延設された棒状体とを備え、前記筒状体の周壁面には、下方から上方に向かって０から所定容量までの目盛が付されていることを特徴とする。
【００１２】
かかる構成によれば、前記筒状体から前記キャップを取り外して錠剤等の薬剤を上端の開口から該筒状体内に入れることができる。そして、該筒状体内に上端の開口から例えば５５℃の温湯を目盛で確認しながら所定量（例えば、２０ｍｌ）入れ、例えば１０分間放置し、薬剤を崩壊・懸濁させることができる。そして、前記注出口を有するキャップを前記筒状体に取り付け、前記棒状体で前記閉塞部材を上方に押圧することにより、該注出口から懸濁液を注出させることができる。
【００１３】
本発明の簡易懸濁法用容器を用いることにより、従来の様に水剤瓶から懸濁液を注射器で吸引する必要がなく、全ての懸濁液を残らず患者に投与することができる。又、本発明の簡易懸濁法用容器によれば、前記キャップを取り外して前記筒状体内に上方から薬剤を入れることができるため、従来の様に取り外しが困難な注射器の押子を取り外して薬剤を注射筒に入れる必要がなく、作業が容易となる。
【００１４】
又、本発明によれば、前記閉塞部材の上端を目盛０の位置に合せておき、前記筒状体内に上端の開口から温湯を注ぐことができる。このため、従来の様に注射器に入れられた薬剤により押子を先端まで押し込むことができず、押子の先端を目盛０の位置に合せることができずに温湯の計量を正確に行うことができないということはなく、温湯の計量を正確に行うことができる。これにより懸濁液を適切な濃度にすることができる。
【００１５】
又、前記閉塞部材の下端に前記棒状体を着脱自在に連結し、前記筒状体の下端に径方向外方に張り出す張出部を形成し、前記閉塞部材から前記棒状体を取り外した状態で、前記張出部により前記筒状体が起立可能であることが好ましい。
【００１６】
かかる構成によれば、前記閉塞部材から前記棒状体を取り外した状態で、前記張出部により机等の上に安定して起立させることができる。これにより、医療従事者は両手を使うことができ、作業を容易に行うことができる。
【発明を実施するための最良の形態】
【００１７】
本発明の実施の形態を図１から図３を参照して説明する。図１は本発明の簡易懸濁法用容器の実施形態を示す説明図、図２は本実施形態の簡易懸濁法用容器を一部断面で示した説明図、図３は本実施形態のキャップと棒状部材とを筒状体から取り外した状態を示す説明図である。
【００１８】
図１に示す様に、本発明の実施形態の薬剤容器１は、上端と下端とが開口し内部を視認可能な光透過性を有する材料で形成された筒状体２と、筒状体２の上端に着脱自在に設けられたキャップ３と、筒状体２の下端部を液密に閉塞し且つ筒状体２の内周面を摺動自在な閉塞部材４とを備える。
【００１９】
図２に示すように、閉塞部材４の下端面にはネジ穴４ａが穿設されている。又、閉塞部材４の下端には、そのネジ穴４ａに着脱自在に螺合する雄ネジ部５ａを有する棒状体５が下方に向かって延設されている。
【００２０】
筒状体２の外周面には、下方から上方に向かって０から所定容量（図では２５ｍｌ）までの目盛２１が付されている。又、筒状体２の下端には径方向外方に張り出すフランジ状の張出部２２が設けられている。筒状体２の上端部外周面には、径方向外方に突出する環状凸部２３が形成されている。
【００２１】
筒状体２の上端の開口２ａは、錠剤やカプセル等の薬剤を入れ易い様に大きく開口されている。又、筒状体２の内周面下端には、径方向内方に突出する環状突部２ｂが形成されている。これにより、閉塞部材４が意図せずに筒状体２から脱落することを防止できる。
【００２２】
キャップ３は、筒状体２の上端部の環状凸部２３に嵌合する環状凹部３１ａを備えるキャップ本体３１と、キャップ本体３１から上方に向かって延設された注出口３２と、注出口３２に着脱自在に設けられ注出口３２を閉塞自在な小キャップ３３とで構成される。環状凸部２３と環状凹部３ａとを嵌合させることにより、キャップ３が筒状体２の上端に着脱自在に取り付けられる。又、キャップ本体３１と小キャップ３３とはひも状の連結桿３４により一体とされている。これにより、小キャップ３３の紛失防止を図ることができる。
【００２３】
次いで、本実施形態の薬剤容器１の使用方法について説明する。
【００２４】
まず、キャップ３を筒状体２から取り外す。そして、閉塞部材４の上端を目盛２１の０の位置に合せ、棒状体５を閉塞部材４から取り外す。そして、図３に示すように、筒状体２を机６の上に起立させた状態で置く。筒状体２は張出部２２により安定して机６の上で起立することができる。これにより、医療従事者は筒状体２を把持したまま作業を行う必要がなく、両手を自由に使うことができる。
【００２５】
そして、筒状体２内に錠剤やカプセル等の薬剤を入れる。そして、５５℃〜６０℃の温湯を２０ｍｌ注ぐ。そして、キャップ３を筒状体２に取り付け、注出口３２を小キャップ３３でフタをする。この状態で１０分間放置し、薬剤を崩壊・懸濁させる。この間、医療従事者は他の作業を行うことができる。１０分経過した後、閉塞部材４に棒状体５を取り付け、注出口３２から小キャップ３３を取り外す。そして、注出口３２を経腸栄養ライン等のチューブ（図示省略）に接続し、患者に投与する。
【００２６】
本実施形態の薬剤容器１によれば、従来の様に水剤瓶から懸濁液を注射器で吸引する必要がなく、全ての懸濁液を残らず患者に投与することができる。又、キャップ３を取り外して筒状体２内に上方から薬剤を入れることができるため、従来の様に取り外しが困難な注射器の押子を取り外して薬剤を注射筒に入れる必要がなく、作業が容易となる。
【００２７】
又、閉塞部材４の上端を目盛０の位置に合せておき、筒状体２内に上方から温湯を注ぐことができる。このため、従来の様に注射器に入れられた薬剤により押子を先端まで押し込むことができず、押子の先端を目盛０の位置に合せることができずに温湯の計量を正確に行うことができないということはなく、温湯の計量を正確に行うことができる。これにより懸濁液を適切な濃度にすることができる。
【００２８】
尚、本実施形態においては、環状凸部２３と環状凹部３１ａとを嵌合させることにより、キャップ３を筒状体２に着脱自在に取り付けたものを説明したが、キャップ３の筒状体２への取付構造はこれに限られず、例えば、ネジにより螺合させる様にしてもよい。
【００２９】
又、本実施形態においては、筒状体２として内部を視認可能な光透過性を有する材料で形成したものを用いて説明したが、これに限られず、光を透過しない材料で筒状体を形成してもよい。この場合、目盛は筒状体の内周面に設け、筒状体の上端の開口から温湯の量を確認する様にすればよい。
【図面の簡単な説明】
【００３０】
【図１】本発明の簡易懸濁法用容器の実施形態を示す説明図。
【図２】実施形態の簡易懸濁法用容器を一部断面で示した説明図。
【図３】実施形態のキャップと棒状部材とを筒状体から取り外した状態を示す説明図。
【符号の説明】
【００３１】
１…薬剤容器、  ２…筒状体、  ２ａ…上端の開口、  ２ｂ…環状突部、  ２１…目盛、  ２２…張出部、  ２３…環状凸部、  ３…キャップ、  ３１…キャップ本体、  ３１ａ…環状凹部、  ３２…注出口、  ３３…小キャップ、  ３４…連結桿、  ４…閉塞部材、  ４ａ…ネジ穴、  ５…棒状体、  ５ａ…雄ネジ部、  ６…机。
【図１】
2008206531.tif 000003
【図２】
2008206531.tif 000004
【図３】
2008206531.tif 000005